(57)【要約】【課題】塀、花壇の囲い等に使用する基本コンクリートブロック、化粧（表面の柄・色調等によるファッション）コンクリートブロック及び、コーナーコンクリートブロックの、図Aの従来のコンクリートブロックに示す、符号２−天端面、３−貫通空洞部の上に、仕上げに笠木を積み上げるも破損しやすい。尚、型枠を組み、コンクリートを流し笠木を成型するも、追加的な費用がかさみ、又３−空洞部をコンクリートで埋め、平面に均して仕上げても、コンクリートの配合が微妙に違い、仕上がりが美観的に良くない。尚、空洞部をそのままにすると空洞部に水が貯まり、蚊等害虫の発生の原因になる等の課題がある。【解決手段】課題を解決するために、上述の図6、図7、図8に示す従来型のコンクリートブロック、２−天端部分の３−空洞部にふたをするように、上端面をコンクリートブロックの製造工程で、１−天端を平面に成型して製造するように構成した。【選択図】図１
2009019382.tif 000002
【特許請求の範囲】
【請求項１】
天端部分を平面な構造に構成したことを特徴とするコンクリートブロック。
【請求項２】
請求項１に記載の（下符号によって説明する）従来の基本（下地仕様）コンクリートブロック、化粧（色調及び図柄形状等によるファッション仕上げ仕様）コンクリートブロック、コーナーコンクリートブロック、それぞれの上部分に天端機能、１−天端部分を平面な形状の構造に構成したことを特徴とするコンクリートブロック。
【請求項３】
請求項２に記載のブロック本体に貫通した空洞のある、従来型ブロックの上部分を、該貫通した穴に蓋をした様に１−天端機能構造を構成したことを特徴とするコンクリートブロック。
【発明の詳細な説明】
【技術分野】
【０００１】
本発明は、天端機能構造のコンクリートブロック（以下ブロックと言う）主に表面サイズが約縦２０ｃｍ×横４０ｃｍ×奥行き１０ｃｍ〜１５ｃｍ程の自在な奥行の、尚下記図面に示す様に空洞部を複数箇所設けて構成した、建設用ブロックに関するものである。
【０００２】
塀等の建設に通常のブロックを積み上げて、最上部に使用する天端機能の構造に構成した、ブロックの提供を目的としたものである。
【背景技術】
【０００３】
従来は、主に塀等の建設に通常のブロックを積み上げて、その上部に笠木を積み上げるか、又はブロックの上部の３−空洞部分に、ふたをする様にコンクリートを詰めて（該３−空洞部を詰めない事もある）仕上げている。
【０００４】
しかし、天端の仕上げに笠木を積み上げた場合、建設場所の条件により他の物との接触等で破損しやすい、又３−空洞部分にコンクリートを詰めて仕上げた場合、セメントの配合の違いでの微妙な違和感を感じ、美観的に良くない（３−空洞のままにすると雨水が貯まり、蚊等の発生することもある）等の不都合が生じている。
【０００５】
周知のように１例として、塀、擁壁等に空洞部を形成されたブロックを積み上げて建設するが、例えば
【特許文献１】特許第３３２７８３８号公報にも、積み上げる最上部分の天端の仕上げ機能を有する構造のブロックの提案はなされていない。
【発明の開示】
【発明が解決しようとする課題】
【０００６】
解決しようとする問題点は、従来から特に笠木を設置することで破損しやすい、又３−空洞部を埋めたり、そのままでは上述のように美観的に良くない等、改良を要すると言う課題があった。
【０００７】
上記の課題を解決する為に、ブロック上部に形枠を組み、コンクリートを流し込み形成する場合もあるが、特に施工手間が多くかかる等と言う困難な課題がある。
【課題を解決するための手段】
【０００８】
本発明は、ブロックの製造工程において天端表面の３−空洞部（穴）の上部分にふたをする様にふさぎ、１−天端を平面構造に構成した。
【０００９】
上記と等しくA―基本ブロック、B―化粧（色調及び図柄形状等によるファッション）ブロック、C−コーナーブロックの、上端面を１−平面構造に構成した。
【発明の効果】
【００１０】
塀や花壇の囲い等の建設に際して、該１−天端機能の付いたブロックを使用して、上端の綺麗な仕上がりの構築が容易になった。
【００１１】
１―天端部分面を平面構造に構成したことにより、ブロック塀等の仕上げの資材が省け、工程も少なく構築が迅速に行える。
【００１２】
１―天端ブロックを上述の様な構造に構成しているので、上端に笠木等を積み上げる必要も無く、強度も従来より強く、美観にも優れている。
【００１３】
１―天端部分面を平面構造に構成したことにより、便利なうえ建築費用や資材を省ける（施工も含め）安価なブロックを提供するものである。
【発明を実施するための最良の形態】
【００１４】
１―天端部分面を平面構造に構成した、１−天端ブロックを使用して従来と変わらない強度で、尚美観に優れた塀、花壇の囲い等を迅速に構築することを可能にした。
【００１５】
築いた塀、花壇等の上端にフェンス等を設置する場合、該１−天端部分の平面に、柱（足）を設置する為の適切な箇所だけに穴を開けて、フェンス等の柱（足）を埋没するが、柱（足）を設置しない大半のブロックの天端面が、すっきりとし、フェンスとも調和し、美観の良さを容易に実現した。
【００１６】
その他、建築以外の用途で、室内、室外を問わず、単体で物を乗せる台に使用する場合等に貫通した穴が無く、台としての（ファッション面でも）安定も良く、すっきりした存在感が実現した。
【実施例１】
【００１７】
本発明の１実施例にかかる、A―基本ブロック、B―化粧（色調及び図柄形状等によるファッション）ブロック、C―コーナーブロックを、図面と符号（以下符号文字を省略する）に基づき詳細に説明する。
【００１８】
１―天端面を示す斜視図で従来の図６・７・８のA―基本ブロック、B―化粧ブロック、C―コーナーブロックそれぞれの天端の３−空洞部分（穴部分）に、ふたをする様に４−平面構造に構成したものである。
【００１９】
図３はA―ブロック、B―ブロック、C―ブロックの１−天の平面図で、切断方向を示し、図４はa〜aの切断面及び図５はb〜bの断面図に表す様に、従来のコンクリートブロックの３−空洞部分（貫通）の天端面のみを、ふたをするように１−平面構造に構成したものであり、したがって本発明の４−空洞部分（天井がある）が形状される物である。
【００２０】
図６はA―従来のブロック形状の斜視図、図７はB―従来の化粧ブロック形状の斜視図、図８はC―従来のコーナーブロック形状の斜視図である。
【００２１】
次に、塀、仕切り等の建設施工時には、従来のコンクリートブロックを積み、該ブロックは最上段の仕上げに積み上げ、１段の場合はストレートに設置する。
【図面の簡単な説明】
【００２２】
【図１】は本発明の基本ブロック、化粧ブロック、コーナーブロックの天端を示す斜視図である。
【図２】は本発明のブロックの６面を示す展開図である。
【図３】はブロックのa〜a及びb〜bの断面方向を示す、平面図である。
【図４】はa〜aの断面図である。
【図５】はb〜bの断面図である。
【図６】は参考までに、本発明と比較の為の、従来の基本A―ブロックを示す斜視図である。
【図７】は参考までに、本発明と比較の為の、従来の化粧（色調及び柄形状等によるファッション）ブロックを示す斜視図である。
【図８】は参考までに、本発明と比較の為の、従来のコーナーブロックを示す斜視図である。
【符号の説明】
【００２３】
A     従来の基本ブロック（下地仕様）
B     従来の化粧ブロック（仕上げ仕様）
C     従来のコーナーブロック（下地、仕上げ仕様）
１    本発明の天端表面（下地、仕上げ仕様）
２    従来の天端面
３    従来の貫通空洞部分
４    本発明の空洞部分
５    a〜a断面
６    b〜b断面
７    表面１
８    表面２
９    側面１
１０    側面２
１１    底面
【図１】
2009019382.tif 000003
【図２】
2009019382.tif 000004
【図３】
2009019382.tif 000005
【図４】
2009019382.tif 000006
【図５】
2009019382.tif 000007
【図６】
2009019382.tif 000008
【図７】
2009019382.tif 000009
【図８】
2009019382.tif 000010